(57)【要約】【課題】各入退場システムに合致させて対応可能な、オンラインモードかオフラインモードかの動作状態を個別の携帯電話機に対して制御可能なＩＣカードを接続可能な携帯電話機およびＩＣカードを接続可能な携帯電話機の制御方法の提供が求められていた。【解決手段】ＩＣカードを接続および分離可能な機構を具備するＩＣカードを接続可能な携帯電話機において、外部からのオンラインモードかオフラインモードかの動作状態を制御する動作信号を受信する機能を有するＩＣカードを接続した状態で、携帯電話機の動作状態をオンラインモードかオフラインモードかを該ＩＣカードから制御可能であることを特徴とするＩＣカードを接続可能な携帯電話機とその制御方法を提供する。【選択図】図１
2005229163.tif 000002
【特許請求の範囲】
【請求項１】
ＩＣカードを接続および分離可能な機構を具備するＩＣカードを接続可能な携帯電話機において、外部からのオンラインモードかオフラインモードかの動作状態を制御する動作信号を受信する機能を有するＩＣカードを接続した状態で、携帯電話機の動作状態をオンラインモードかオフラインモードかを該ＩＣカードから制御可能であることを特徴とするＩＣカードを接続可能な携帯電話機。
【請求項２】
ＩＣカードを内蔵可能な携帯電話機の制御方法において、
携帯電話機の使用可能区域と使用禁止区域との境界にゲートを設置し、
該ゲートはゲート通過中の携帯電話機の動作状態をオンラインモードかオフラインモードかに制御する動作状態を示す動作信号を発信する機能を具備しており、
前記携帯電話機が前記ゲートを通過する際、携帯電話機に接続されたＩＣカードにより前記動作信号を受信し、
受信した動作信号に従ってＩＣカードから携帯電話機の動作状態をオンラインモードとオフラインモードとの間で制御されることを特徴とするＩＣカードを接続可能な携帯電話機の制御方法。
【発明の詳細な説明】
【技術分野】
【０００１】
本発明は、ＩＣカードを接続可能な携帯電話機とその制御方法に関し、特に携帯電話等移動無線機器の使用禁止区域に立ち入る際のＩＣカードを接続可能な携帯電話機とその制御方法に係る。
【背景技術】
【０００２】
携帯電話機等の移動無線機器は、その発生する電波が周辺の電子機器に悪影響を与える危険性がある区域では使用が禁止されている。特に携帯電話機のように通話を行なっていなくても電源が入っていると定期的に電波を発射する機能を有する移動無線機の場合、これら不要電波による悪影響を防ぐために使用禁止区域では定期的に電波を発射させない様にする必要がある。このため、例えば、飛行機の離着陸時等では計器へ影響を与えないようにするために携帯電話機の電源を切るように指導されている。また、病院等においても医療機器に誤動作の影響を与えることがないように携帯電話の使用を制限している所もあり、そこでも携帯電話機の電源を切るように指導されている。このような区域で不用意に不要電波が発射される状態を避ける方法として妨害電波を出して通話不能にする方法も考えられるが、この場合でも、妨害電波により使用禁止区域と表示されていても電源を切断しない限り携帯電話機は定期的に電波を発射する状態が継続していることになる。
【０００３】
さらに、携帯電話機に使用禁止信号の専用受信機を設置し、当該携帯電話機の使用禁止区域での動作を禁止する方法がある。この方法では使用禁止区域内では携帯電話機の使用禁止信号を常時発信しておく必要があり、電磁波の輻射が許されない領域では適用不可であること。また、使用禁止電波の分布により、使用禁止区域の周辺部または角の部分等の電界強度が弱くなっている区域では、使用が禁止されているにもかかわらず使用が可能な状態になってしまう等の問題があった。
【０００４】
このため、いずれにしても不要電波による悪影響を防ぐためには電源を切ることが不可欠となっている。しかしながら、電源を切る作業は各個人の行動に委ねられているため、実際に電源が切られているかどうかを管理者側がシステムとして確認することが出来ず、使用を禁止している場所において電源が入ったままの状態の携帯電話機が依然として存在してしまう場合があるという問題があった。
【０００５】
そのため、前記携帯電話機等の移動無線機器の使用禁止区域において、常時使用禁止信号を発信し続けることなく、使用可能区域と使用禁止区域との境界を通過する度に携帯電話機の動作状態を通話可能と通話不可に状態を切り換え、携帯電話機が再び使用可能区域に戻ったとき使用禁止の設定を解除できる携帯電話機システムを提供することが望まれていた。また、携帯電話機を使用不可の状態にする携帯電話機とその制御方法を提供することが望まれていた。
【０００６】
そこで、特許文献１の様な携帯電話が提供されていた。これは、基地局と接続して通信を行う携帯電話機システムにおいて、携帯電話機の使用可能区域と使用禁止区域との境界にゲートを設置し、該ゲートにはゲート通過中の携帯電話機の動作状態とＩＤ番号を問い合わせる質問器が設置されており、前記携帯電話機は前記質問器と交信する応答器を具備しており、前記携帯電話機が前記ゲートを通過する際、前記携帯電話機が動作状態にあれば電源遮断の信号を上記質問器が発し、電源が既に遮断された状態にある場合にはそれ以後の電源接続を不可とする信号を上記質問器から発し、同時に送信不可の状態であることを前記携帯電話機上に表示し、前記質問器は前記応答器から得られたＩＤ番号を基地局に送信し、前記基地局では前記ＩＤ番号の前記携帯電話機を無接続の状態とし、前記無接続
の状態で外部から接続要求があった場合、前記接続要求元に伝言の有無を問い合わせ、伝言がある場合は前記基地局で前記伝言を保存し、前記携帯電話機が再度前記ゲートを通過して前記使用可能区域に移動する場合、前記質問器と前記応答器とで再度交信して前記基地局での無接続状態を解除し、前記携帯電話機を通常送信可能の状態とすると同時に、送信不可の状態表示を消去し、送信不可の期間中に受信した接続要求者の伝言を再生することを特徴とする携帯電話機システムに関する技術である。
【０００７】
これにより、携帯電話機の使用が禁止されている区域で確実に携帯電話の電源を切断し、あるいは不用意な電源投入による電磁波輻射を阻止乃至は警報を発することができる携帯電話機、及び使用禁止区域内にあるときの外部からの接続要求に対応し得るシステムを提供することができる。
【０００８】
以下に特許文献を示す。
【特許文献１】特開２０００−２８７２５９号公報
【発明の開示】
【発明が解決しようとする課題】
【０００９】
しかしながら、この様な従来技術においては、この様な機能を携帯電話機自体に保持しなければならないため、携帯電話機は通常の電話機能とは別の動作状態制御用通信機能を有する必要がある。しかし、この機能を実現するには全ての携帯電話機に動作状態制御用通信機能をとりつける必要がある。しかし、この様なオンラインモードかオフラインモードかの動作状態を制御する動作信号は携帯電話機の使用禁止区域の入退場システム毎に異なっているのが通常であり、その全ての動作信号の送受信が可能な仕組みの携帯電話機とするのは実際的ではない。
【００１０】
そこで、各入退場システムに合致させて対応可能な、オンラインモードかオフラインモードかの動作状態を個別の携帯電話機に対して制御可能なＩＣカードを接続可能な携帯電話機およびＩＣカードを接続可能な携帯電話機の制御方法が求められていた。
【課題を解決するための手段】
【００１１】
上記課題を解決する為に、まず本発明の第１の発明は、ＩＣカードを接続および分離可能な機構を具備するＩＣカードを接続可能な携帯電話機において、外部からのオンラインモードかオフラインモードかの動作状態を制御する動作信号を受信する機能を有するＩＣカードを接続した状態で、携帯電話機の動作状態をオンラインモードかオフラインモードかを該ＩＣカードから制御可能であることを特徴とするＩＣカードを接続可能な携帯電話機を提供するものである。
【００１２】
また、本発明の第２の発明は、ＩＣカードを内蔵可能な携帯電話機の制御方法において、
携帯電話機の使用可能区域と使用禁止区域との境界にゲートを設置し、
該ゲートはゲート通過中の携帯電話機の動作状態をオンラインモードかオフラインモードかに制御する動作状態を示す動作信号を発信する機能を具備しており、
前記携帯電話機が前記ゲートを通過する際、携帯電話機に内蔵されたＩＣカードにより前記動作信号を受信し、
受信した動作信号に従ってＩＣカードから携帯電話機の動作状態をオンラインモードとオフラインモードとの間で制御されることを特徴とするＩＣカードを内蔵可能な携帯電話機の制御方法を提供するものである。
【発明の効果】
【００１３】
各入退場システムに合致させて対応可能な、オンラインモードかオフラインモードかの動作状態を個別の携帯電話機に対して制御可能なＩＣカードを接続可能な携帯電話機およびＩＣカードを接続可能な携帯電話機の制御方法を提供することが可能になった。
【発明を実施するための最良の形態】
【００１４】
以下本発明を図により説明する。図３は本発明の実施の形態を説明するための設置位置を示す配置図である。図において、４１は携帯電話機１０が使用可能である区域を示し、４２は携帯電話機１０の使用が禁止されている区域を示す。１０は携帯電話機、２０はそれと接続しているＩＣカード、３０は接近信号を常に発信し続けるゲート３０である。なお、図１においてゲート３０は１か所のみ図示したが、使用可能区域４１と使用禁止区域４２の境界上に複数個配置しても同様な効果が得られる。さらに、使用禁止区域４２が二つの使用可能区域に挟まれるような場合、使用禁止区域４２の両側の境界にゲート３０を設けても同様な効果が得られる。
【００１５】
図１は本発明による実施の形態におけるＩＣカードを接続した状態の携帯電話機の機能構成図の一例である。すなわち通話部分は、無線通信のための無線送受信部１２、着信先電話番号等の情報を表示するための表示部１３および音声の入出力を行なう音声入出力部１４から構成されており、これら無線送受信部１２、表示部１３および音声入出力部１４の各回路は制御部１１により制御され、この制御部１１は入力操作部１５により命令を与えられ制御される。また電源部分は、動作制御を受ける動作制御手段１６、この動作制御をＩＣカード２０のコネクター端子２２から受けて動作制御手段に伝達すべきＩＣカードコネクター１７とからなっている。
【００１６】
他方、ＩＣカード２０は、ゲート３０と交信可能な非接触交信手段２３と、動作状態を記憶する動作状態記憶手段２４と、これら全般の制御を行う制御部２４と、さらにＩＣカードコネクタ１７を介して携帯電話機１０に対して制御可能なコネクター端子２２とからなる。図３および図４は本発明による実施の形態における処理の過程を示すフロー図である。
【００１７】
以下図３、図４に基づき本発明の動作の詳細を説明する。携帯電話機１０の使用禁止区域４２の入口にゲート３０を設け、ゲート３０を通過する際にゲート３０から接近信号発信５１をする。図２は本発明による実施の形態における携帯電話機構成図の一例である。
【００１８】
ゲート３０から放射された接近信号５４は、ゲート３０を通過したＩＣカード２０だけに届くようにし、この接近信号５４は微弱電力とするか、あるいは指向性アンテナを用いることによりゲート３０を通過するまでは携帯電話機１０に動作制御が伝わらない様にする。これは、ゲート３０の位置や接近信号５４の発信方法、ＩＣカード２０の制御部２１の機能など、各種方法により実現できる。
【００１９】
以下、ＩＣカード２０が接近信号５４を受けた場合を、携帯電話機１０がオンラインモードにある場合とオフラインモードにある場合とに分けて以下図４、図５を用いて説明する。携帯電話機１０は、動作状態としてオンラインモード５３、６７とオフラインモード５９、６２を持っている。また、ＩＣカード２０はこの携帯電話機１０と接続することによって動作状態メモリーにオンラインモード５２かオフラインモード６１かを保持している。
【００２０】
ここで携帯電話機１０がオンラインモードである場合を図４を用いて以下説明する。ＩＣカード２０がゲート３０に接近して接近信号５４を受信した場合、ＩＣカード２０の動作状態メモリーが動作状態を判断し、オンラインモード５２である場合にはゲート３０に対してオンラインモード５５である旨の状態表示信号を発信する。これを受信したゲート
３０は、携帯電話機１０の動作状態を知ることができ、この動作状態をオンラインモードからオフラインモードに変更すべく休止信号である動作信号５６を再びＩＣカード２０に発信する。この信号を受けたＩＣカード２０は、動作状態メモリーをオンラインモード５２から動作状態をオフラインモードに変更５７する。また、この休止信号である動作信号５６により携帯電話機１０にオフラインモードの動作制御５８を行い、これにより携帯電話機１０の動作状態をオンラインモード５３からオフラインモード５９に変更する制御が行われる。
【００２１】
次に、携帯電話機１０がオフラインモードである場合を図５を用いて以下説明する。ＩＣカード２０がゲート３０に接近して接近信号５４を受信した場合、ＩＣカード２０の動作状態メモリーが動作状態を判断し、オフラインモード６１である場合にはゲート３０に対してオフラインモード６３である旨の状態表示信号を発信する。これを受信したゲート３０は、携帯電話機１０の動作状態を知ることができ、この動作状態をオフラインモードからオンラインモードに変更すべくオンラインモード信号である動作信号６４を再びＩＣカード２０に発信する。この信号を受けたＩＣカード２０は、動作状態メモリーをオフラインモード６１から動作状態をオンラインモードに変更６５する。また、このオンラインモード信号である動作信号６４により携帯電話機１０にオンラインモードの動作制御６６を行い、これにより携帯電話機１０の動作状態をオフラインモード６２からオンラインモード６７に変更する制御が行われる。
【００２２】
なお、他のシステムへの影響がないことが確認されている周波数及び方式を用いる場合には、動作制御手段１６のみ常時オンラインモードとしておく事は可能である。したがって、携帯電話機１０がオンラインモードになっていなくても動作制御手段１６のみ稼動していれば、動作状態を指示する情報の更新ができる。このため、携帯電話機１０の電源を切断した状態でゲート３０を通過し、使用禁止区域４２内で再び携帯電話機１０をオンラインモードにしようとしてもオンラインモードにすることを制限することもできる。また、図示しない警告手段により使用禁止の警告を発生させることもできる。
【００２３】
また、これに代わり、ＩＣカード２０のみ常時受信可能状態とし、携帯電話機の使用が禁止されている使用禁止区域４２からゲート３０を通過して使用可能区域４１に移動する際、ゲート３０でオフラインモード情報送信手段を受信することによってＩＣカード２０内のメモリをクリアし、電源投入時の警告が出ないようにするとともに、電源の投入が可能となるようにすることも可能である。
【００２４】
なお、この場合、さきに通過したゲート３０と再度通過するゲート３０は同一のゲートでなくともよい。前記説明において、非接触交信手段２３はＩＣカード２０内に設けたが、これに代わり携帯電話機１０に、無線送受信部１２とは独立した２本のアンテナを使用することも可能であるが、一本のアンテナを共用して信号形式を周波数多重あるいは時分割等の方式を用いてもよい。
【００２５】
また、この実施形態では携帯電話機１０とＩＣカード２０との接続に関して、携帯電話機にスロットを設けてそのスロットに差し込んで携帯電話機１０のＩＣカードコネクター１７とＩＣカード２０のコネクター端子２２とを直接接続する内蔵式の形態で説明してきたが、接続ケーブル等を用いた接続方法など、ＩＣカードから携帯電話機の動作制御が可能な各種方式を用いることが可能である。
【００２６】
他方、ＩＣカード２０は、非接触と接触のハイブリッドカードの例で示したが、非接触交信手段を持たない形式のもので、交信手段を携帯電話機で行うものでも、この他に動作状態等の表示機能を有するものでも、この他磁気ストライプを持つ磁気カードとの両機能を有するものでも、その他携帯電話機の制御の他に各種機能、例えばチケット機能や診療
カード機能等を併せ持つものでも、さらには単一の使用禁止エリアのみに対応するものではなく、複数の使用禁止エリアに対応するものであっても構わない。
【００２７】
また、ゲートの機能として、その一部に質問器を設ける構成でもよい。この場合の質問機は携帯電話機１０の使用可能区域と使用禁止区域との境界に設けられたゲート３０に設置されている装置で、携帯電話機１０を保持する使用者が携帯電話使用可能区域から使用禁止区域に移動したとき、携帯電話機１０が作動状態にあるか否かを問い合わせる信号を出す。これに対して携帯電話機１０はこの問い合わせ信号を受信し、携帯電話機１０に内蔵されている非接触交信手段２３により動作状態を質問器に返信する。ここで、携帯電話機１０が作動状態にあれば質問器から同じくゲート３０あるいはゲート３０近傍に設置された警告手段に警報発生の信号を送る。これにより警告手段は警告を発し、携帯電話機１０の使用者および装置管理者に携帯電話機１０がオンラインモードにあることを知らせる。警告発生方法としては、ブザー等の音響信号あるいは音声による告知、ＬＥＤあるいは液晶等の文字情報による告知その他ランプの点滅等の光学的手段による告知さらにこれら各手段の組み合わせ等各種の方法が可能である。
【００２８】
また、別な実施形態として、携帯電話機を保持する使用者が使用可能区域から使用禁止区域にゲートを通過する際、ＩＣカードがオンラインモードにあるか否かを問い合わせる信号を出す。ＩＣカードは携帯電話機を通じてこの信号を使用禁止信号として警告手段により警報を出すと同時に、使用禁止信号を受信したことを記憶する。この記憶結果によりＩＣカードからはＩＤ番号等固有情報をゲートに対して送信し、携帯電話機をオンラインモードとする。前記ＩＤ番号等の固有情報を受信したゲートこれら情報の内容を基地局に送信する。基地局では受信したＩＤ番号の携帯電話機は使用禁止状態にあることを記憶しておき、同じＩＤ番号への接続要求が発生した場合には、使用者が使用禁止区域内にいることを報知し、必要に応じて接続要求者の伝言を保存しておく。後刻、前記使用禁止区域内の携帯電話機の使用者がゲートを通過して使用可能区域に戻る際、ゲートとＩＣカードとの間で行われた信号授受の結果として携帯電話機のＩＤ番号と当該携帯電話機が使用可能区域に入ったことをゲートから基地局に送信し、同時にＩＣカード側では記憶されている使用禁止信号の情報をクリアし、オンラインモードとする。一方、ゲートからの情報を受信した基地局では使用禁止中として記憶されている携帯電話機のＩＤ番号と一致する番号を使用禁止登録から削除し、同時に当該ＩＤ番号宛にきた接続要求者の伝言があれば携帯電話機に伝言内容を通知する。
【実施例１】
【００２９】
ゲート通過時にゲート内の質問器から発信された使用禁止プロトコルを受信したＩＣカードは、その動作状態に関するフラグの有無をチェックする。ここでフラグが存在しなければ（オフの状態）ＩＣカードは携帯電話機のＩＤ番号を送信し、携帯電話機の送信機を遮断状態にする。この場合、電源遮断動作としては送信機部分の電源遮断や、高周波発振回路あるいは局部発振回路等の高周波部分の動作を停止させる方法でも良いが、単に携帯電話機の機能で通常状態とするのが容易である。これにより電波の発振は停止し、携帯電話機が使用禁止区域に入っていることを携帯電話機上で表示し、同時に電源遮断状態にあることを示すフラグをオンにし、ＩＣカードは次のゲート通過時の信号受信を待つ状態となる。
【００３０】
ＩＣカードで実行される以上の処理のうちで、送信されたＩＤ番号は質問器で受信され、さらに基地局に送信される。基地局では受信したＩＤ番号に対応した使用禁止情報が登録されているか否かをチェックされる。ここで未登録の状態であれば、携帯電話機１は直前まで使用可能区域にあったことになり、使用禁止区域に入ったことが登録され、外部からの接続要求に対して基地局で無接続となるように設定される。この状態で、外部から接続要求が入った場合、基地局から当該携帯電話機が使用禁止区域にあることを接続要求者
に報知し、同時に伝言メッセージがあるか否かを問い合わせる。ここで、伝言がなければ基地局は次のゲートを通過する信号がくるのを待つ状態となる。また、伝言がある場合は伝言保存処理を行い、前記と同じく次のゲートを通過する信号がくるのを待つ状態となる。
【００３１】
携帯電話機の使用者が再び使用可能区域に移動すると、ＩＣカードがゲートで再び質問器と非接触交信手段とで信号の授受を行い、携帯電話機の動作状態を示すフラグの有無をチェックし、フラグが存在すれば（ＯＮの状態）フラグを消去してフラグＯＦＦの状態とし、携帯電話機を送信可能の状態に戻す。この状態で携帯電話機は今まで表示されていた使用禁止の表示を消去し、ＩＤ番号を質問器を介して基地局に送信する。このＩＤ番号を受信した基地局では、このＩＤ番号に対応する番号が使用禁止状態にあるか否かをチェックし、使用禁止の状態にあれば無接続の設定を解除し、使用禁止登録の状態も解除する。ここで基地局では当該ＩＤ番号に伝言メッセージがあるか否かをチェックし、なければ基地局側では再度ゲートからの信号待ちの状態となり、あれば伝言があることをＩＣカードに送信するとともに保存されている伝言を読み出し携帯電話機に伝言内容を携帯電話に送信する。ＩＣカードでは伝言の有無をチェックし、伝言がない場合は直ちに通常動作の状態に戻り、伝言がある場合はその旨を携帯電話機で表示し、使用者がそれを確認してスイッチを投入し、伝言内容の再生を行った後に通常動作の状態に戻る。
【産業上の利用可能性】
【００３２】
本発明は、ＩＣカード内蔵等の手段で接続可能な携帯電話とその制御方法に関し、特に携帯電話等移動無線機器の使用禁止区域に立ち入る際に適用可能である。
【図面の簡単な説明】
【００３３】
【図１】本発明における携帯電話機のＩＣカードを接続した状態の機能構成図。
【図２】本発明における携帯電話機のＩＣカードを接続した状態の全体構成図。
【図３】本発明におけるＩＣカードを接続した携帯電話機の移動位置を示す配置図。
【図４】本発明の一つの実施の形態における使用可能エリアから使用禁止エリアへゲートを通過した場合の動作を説明するフロー図。
【図５】本発明の一つの実施の形態における使用禁止エリアから使用可能エリアへゲートを通過した場合の動作を説明するフロー図。
【符号の説明】
【００３４】
１０…携帯電話機
１１…制御部
１２…無線送受信部
１３…表示部
１４…音声入出力部
１５…入力操作部
１６…動作制御部
１７…ＩＣカードコネクター
２０…ＩＣカード
２１…制御部
２２…コネクター端子
２３…非接触交信手段
２４…動作状態記憶手段
３０…ゲート
４１…使用可能エリア
４２…使用禁止エリア
５１…接近信号発信動作
５２、５７、６１、６５…動作状態メモリー
５３、５９、６２、６７…携帯電話機の動作状態
５４、５５、５６、６３、６４…信号
５８、６６…動作制御
【図１】
2005229163.tif 000003
【図２】
2005229163.tif 000004
【図３】
2005229163.tif 000005
【図４】
2005229163.tif 000006
【図５】
2005229163.tif 000007